(57)【要約】【課題】外力がＩＣタグに作用することを防止でき、さらに箱外表面に露呈しないようにＩＣタグを備えた、箱及びそのブランクシートを提供する。【解決手段】糊代部１５と糊代部１５を貼り付けられた被貼付部３とを有する箱において、被貼付部３における糊代部１５が貼り付けられる面であって、糊代部１５と被貼付部３とが重なる領域内に、ＩＣタグ２０を設け、ＩＣタグ２０は、ＩＣチップ部２１とＩＣチップ部２１に接続したアンテナ部２２とを備え、糊代部１５はＩＣチップ部２１に対する荷重、衝撃などの外力を低減する低減部３０を備えている。【選択図】図２
2011201567.tif 000002
【特許請求の範囲】
【請求項１】
糊代部と、
上記糊代部を貼り付けられた被貼付部と、を有する箱において、
上記被貼付部における上記糊代部が貼り付けられる面であって、上記糊代部と上記被貼付部とが重なる領域内に、ＩＣタグを設け、
上記ＩＣタグは、ＩＣチップ部と、上記ＩＣチップ部に接続したアンテナ部と、を備え、
上記糊代部は、上記ＩＣチップ部に対する外力を低減させる低減部を備え、
上記糊代部が上記貼付部に貼り付けられた状態で上記低減部が上記ＩＣチップ部に重なることを特徴とする、箱。
【請求項２】
前記低減部が前記糊代部に形成された開口であり、
上記開口を前記被貼付部に投影した仮想領域内に前記ＩＣチップ部が配設されていることを特徴とする、請求項１に記載の箱。
【請求項３】
前記低減部が前記糊代部における前記ＩＣタグと接触する面に形成された凹部であり、
上記凹部が前記ＩＣチップ部の上方へ間隙を置いた位置で当該ＩＣチップ部を覆っていることを特徴とする、請求項１に記載の箱。
【請求項４】
箱材の折り畳み状態で、上記糊代部に当接する箱内面の部位に、前記ＩＣチップ部の書き込みを防止するための書込防止部材が設けられていることを特徴とする、請求項１〜３の何れかに記載の箱。
【請求項５】
糊代部と、上記糊代部を貼り付けられる被貼付部と、を有する箱のブランクシートにおいて、
上記被貼付部における上記糊代部が貼り付けられる面であって、上記糊代部と上記被貼付部とが重なる領域内に、ＩＣタグを設置する領域が設けられ、
上記糊代部は、上記ＩＣタグのＩＣチップ部に対する外力を低減させる低減部を備えていることを特徴とする、ブランクシート。
【請求項６】
前記低減部が前記糊代部に形成された開口であり、
上記開口を前記被貼付部に投影した仮想領域内に前記ＩＣチップ部が配設されることを特徴とする、請求項５に記載のブランクシート。
【請求項７】
前記低減部が前記糊代部における前記ＩＣタグと接触する面に形成された凹部であり、
上記凹部が前記ＩＣチップ部の上方へ間隙を置いた位置で当該ＩＣチップ部を覆っていることを特徴とする、請求項５に記載のブランクシート。
【発明の詳細な説明】
【技術分野】
【０００１】
本発明は、ＩＣタグを備えた箱及びそのブランクシートに関する。
【背景技術】
【０００２】
商品などの被運搬物の搬出，搬入などの管理のために、近年、ＩＣタグが利用されている。例えば、特許文献１には無線ＩＣタグシステムが開示されている。この無線ＩＣタグシステムでは、被運搬物にＩＣタグを付し、このＩＣタグとの無線通信により被運搬物の運搬状況を管理している。
【０００３】
このような無線ＩＣタグシステムにおいて、例えば商品を入れた箱などが被運搬物として管理されることも考慮され、そのための工夫もなされている。
【０００４】
例えば、特許文献２にはＩＣタグ付き梱包箱が開示されている。このＩＣタグ付き梱包箱は、梱包箱の内容物に係わらず、指向性を一定にし、効率の良い送受信を行なうことを目的としており、箱の表面にＩＣタグを配置していることを特徴としている（特許文献２の請求項１）。
【先行技術文献】
【特許文献】
【０００５】
【特許文献１】特開２００９−２１１３９６号公報
【特許文献２】特開２００６−１４３２５９号公報
【発明の概要】
【発明が解決しようとする課題】
【０００６】
商品梱包箱をＩＣタグで管理する場合、特許文献２の梱包箱のように箱の外表面にＩＣタグを設けることが多い。しかし、箱外表面にＩＣタグを設けた場合には、積込み、搬送時の取扱い時に外表面のＩＣタグに荷重、衝撃などの外力が加わり、ＩＣタグの故障の原因となるおそれがある。
【０００７】
さらに、特許文献２のように箱の外表面にＩＣタグを設けた場合、ＩＣタグ領域におけるデザイン、つまり箱自体の意匠の自由度が制約される。さらに、箱の外表面のＩＣタグは、外部から露出しているため、不正行為が行われるおそれもある。
【０００８】
そこで、本発明は、上記問題を考慮して創作されたものであり、ＩＣタグに作用する荷重、衝撃などの外力を低減でき、さらに箱外表面に露呈しないようにＩＣタグを備えた、箱及びそのブランクシートを提供することを目的とする。
【課題を解決するための手段】
【０００９】
上記目的を達成するため、本発明は、糊代部と糊代部を貼り付けられた被貼付部とを有する箱において、被貼付部における糊代部が貼り付けられる面であって糊代部と被貼付部とが重なる領域内にＩＣタグを設け、ＩＣタグはＩＣチップ部とＩＣチップ部に接続したアンテナ部とを備え、糊代部はＩＣチップ部に対する外力を低減させる低減部を備え、糊代部が貼付部に貼り付けられた状態で低減部はＩＣチップ部に重なることを特徴としている。なお、本願では、『外力の低減』には、ＩＣチップ部自体、又はＩＣチップ部とアンテナ部との接続部に作用する荷重、衝撃などの外力を低減することを含む意味で使用している。
【００１０】
本発明の箱において、外力の低減部は前記糊代部に形成された開口又は凹部である。
【００１１】
本発明の箱において、好ましくは、箱材の折り畳み状態で糊代部に当接する箱内面の部位にＩＣチップ部の書き込みを防止するための書込防止部材が設けられる。
【００１２】
上記目的を達成するため、本発明は、糊代部と糊代部が貼り付けられる被貼付部とを有する箱のブランクシートにおいて、被貼付部における糊代部が貼り付けられる面であって糊代部と被貼付部とが重なる領域内にＩＣタグを設置する領域が設けられ、糊代部はＩＣタグのＩＣチップ部に対する荷重、衝撃などの外力を低減する低減部を備えていることを特徴としている。
【発明の効果】
【００１３】
本発明によれば、箱体内のＩＣタグに加わる荷重、衝撃などの外力が低減される。また、ＩＣタグを糊代領域内に収まるように設けることで、ＩＣタグが外部に露出せず、存在が感知され難いため、外観デザイン上の制約が少ない、つまり意匠選択の自由度を向上できる。また、ＩＣタグに対する不正防止が可能である。
【図面の簡単な説明】
【００１４】
【図１】本発明の第１実施形態に係る箱の斜視図である。
【図２】図１の箱を構成する箱材を示す平面図である。
【図３】本発明の第２実施形態に係る箱の箱材を示す平面図である。
【図４】図３の箱材の折り畳み状態を示す斜視図である。
【図５】本発明の第３実施形態に係る箱の箱材の要部を示す断面図である。
【発明を実施するための形態】
【００１５】
以下、図面に示した実施形態に基づいて本発明を詳細に説明する。
〔第１実施形態〕
図１は本発明の第１実施形態に係る箱１００の斜視図であり、図２は図１の箱１００を構成する箱材１の正面図である。なお、図２は箱１００の内側から見た展開図である。
【００１６】
図１及び図２において、２は正面板部、３は正面板部２の右端から延出した右側面板部、４は正面板部２の左端から延出した左側面板部、５は左側面板部の左端から延出した背面板部、６は正面板部の上縁から延出した天井板部、８は底部、９〜１５は糊代部、である。以下、これらの箱材１を構成する要素を紙片と呼ぶ場合がある。各紙片は折り筋１７を境界に繋がっている。なお、本願では、箱材１を構成する複数の紙片だけからなるシート、つまり後述のＩＣタグ２０及び書込防止部材４０を取り付ける前のシート、をブランクシートと呼ぶ。
【００１７】
糊代部９〜１１は右側面板部３、左側面板部４、底部８の各下縁から延出しており、糊代部１２〜１４は右側面板部３、左側面板部４、天井板部６の各上縁から延出しており、糊代部１５は背面板部５の左縁から延出している。これらの糊代部の内、糊代部９，１０は底部８の裏面に接着され、糊代部１１は背面板部５の下部裏面に接着され、糊代部１２，１３は天井板部６の裏面に接着され、糊代部１４は背面板部５の上部裏面に接着され、糊代部１５は右側面板部３の右端部裏面に接着される。
【００１８】
第１実施形態に係る箱材１はＩＣタグ２０を備えている。このＩＣタグ２０は、図２に示すように、ＩＣチップ２１と、このＩＣチップ２１に接続したアンテナ２２と、を備えている。なお、本実施形態では、これらのＩＣチップ２１とアンテナ２２とをＰＥＴフィルムなどの樹脂基材に設けてなるインレットを利用する。
【００１９】
このように構成されたインレット、つまりＩＣタグ２０は、図２に示すように、箱材１の右側面板部の裏面に設けられている。具体的には、右側面板部（被貼付部）における糊代部１５が貼り付けられる面（裏面）であって、糊代部１５と右側面板部３とが重なる領域（ＩＣタグ設置領域）内に、ＩＣタグ２０が設けられる。このように、糊代部１５によってＩＣタグ２０の全体が覆われるよう、糊代部１５と右側面板部３との間で、それらが重なる領域内に収容されることで、外部からの視認性を十分に低減することができる。
【００２０】
さらに、本第１実施形態の糊代部１５は、図２に示すように、ＩＣチップ２１に対する荷重、衝撃などの外力を低減する低減部３０、具体的には開口３１を備えている。ＩＣチップ２１は、糊代部１５を右側面板部３に貼付した状態で、開口３１を右側面板部３に投影した仮想領域内に配設される。
【００２１】
箱材１の各折り筋１７を境に各紙片を折り、糊代部９〜１５を対応部位に接着剤などの接合手段によって接着させて、図１に示すように製函、つまり立体的に組み立てる。この製函状態において、ＩＣチップ２１は、糊代部１５と右側面板部３との間に挟持されないよう、糊代部１５に形成した開口３１内に配設される。糊代部１５は、開口３１を通して箱内部に露呈する。
【００２２】
このように、本発明の第１実施形態に係る箱１００によれば、特許文献２と比較すると明らかなように、箱外表面にＩＣタグを設けることなく、図１の破線で示すようにＩＣタグ２０を、箱内側であって、糊代部１５と右側面板部３との間に設けている。箱１００は、ＩＣチップ２１分の厚みを逃すよう、糊代部１５に開口３１を形成して当該開口３１内にＩＣチップ２１を配設することで、箱１００の積込み、搬送時の取扱い時にＩＣタグ２１に加わる外力を低減することができる。
【００２３】
包装箱デザインはブランド価値を高めるための重要な要素であるため、特許文献２のような従来の箱ではＩＣタグが箱表面の一部を占め、その分の箱自体の意匠の自由度を制限しているが、本発明の第１実施形態に係る箱材１及び箱１００によれば、ＩＣタグ２０が箱外表面に現れないため、箱自体の意匠の自由度を向上することができる。さらに、箱１００の内側にＩＣタグ２０を設けて外部に露出させないことで、ＩＣタグ２０への不正行為を防止することができる。
【００２４】
〔第２実施形態〕
図３は本発明の第２実施形態に係る箱の箱材１Ａを示す平面図である。
本実施形態に係る箱材１Ａにおいて、前述の箱材１と同一又は同様の構成については同じ符号を付して、その説明を省略する。
【００２５】
本第２実施形態に係る箱材１Ａには、図３に示すように、書込防止部材４０が設けられている。
この書込防止部材４０は、箱材１Ａの折り畳み状態、例えば図４に示すように、正面板部２と右側面板部４との境界の折り筋１７（他の折り筋と区別するため、図３では符号１７Ａを付している。）で箱材１Ａを二つ折りに畳んだ状態で、ＩＣタグ２０に当接する箱内面の部位、図示例では、ＩＣタグ２０に近接する背面板部５の左端部に設けられている。なお、図４では、ＩＣタグ２０と書込防止部材４０とが重なっていることを明示するために、書込防止部材４０が部分的に重なる状態を便宜的に示しているが、好ましくは、書込防止部材４０はＩＣタグ２０の全体を覆うようにサイズが選定されている。
【００２６】
この書込防止部材４０は磁性材料からできており、本実施形態では背面板部５に印刷処理された磁性体印刷部４１で形成されている。なお、背面板部５に直接印刷した磁性体印刷部４１に代えて、別途製造した磁性テープを背面板部５に貼付してもよいことは勿論である。磁性テープには、例えば、ＩＣタグ２０に入力された情報、或いは品質管理に必要な情報が記録されていてもよい。
【００２７】
箱材１Ａの折り畳み状態（図４）において、書込防止部材４０が、ＩＣタグ２０に近接することで、ＩＣチップ２１への書き込み防止の機能を発揮する。このような機能は、磁性材料によって、当該ＩＣタグ２０のアンテナ２２周辺の電磁界が変化して一時的にアンテナ２２のインピーダンス整合が崩れることに拠る。この場合、ＩＣチップ２１にデータを書き込む程度のパワーが発生しない。
【００２８】
このように本実施形態に係る第２実施形態に係る箱材１Ａによれば、製函前の折り畳んだ状態で、ＩＣタグ２０のアンテナ２２に書込防止部材４０が近接することで、ＩＣタグ２０の通信機能を低減させることができる。これにより、ＩＣタグ２０の誤読を防止できる効果も発揮する。
【００２９】
〔第３実施形態〕
本発明の第３実施形態に係る箱材１Ｂは、第１実施形態及び第２実施形態に係る開口３１に代えて、低減部として凹部３２を備えている。ここで、図５は図２のＡ−Ａ線に沿った箱材１Ｂの対応部位の断面図であり、特に凹部３２を示している。この凹部３２は、例えば紙片を部分的に薄肉、つまり凹部周辺の厚みよりも薄くなるように形成されている。
なお、本実施形態に係る箱材１Ｂにおいて、前述の箱材１，１Ａと同一又は同様の構成については同じ符号を付して、その説明を省略する。
【００３０】
本第３実施形態に係る凹部３２は、前述の開口３１と同様に、ＩＣチップ２１に対して非接触であり、糊代部１５を右側面板部３に貼付した状態で凹部３２を右側面板部３に投影した仮想領域内にＩＣチップ２１は配設されている。なお、凹部３２はＩＣチップ２１の上方へ間隙を置いた位置で当該ＩＣチップ２１を覆う。
【００３１】
このような凹部３２によっても、糊代部１５と右側面板部３との間において、ＩＣチップ２１分の厚みを逃すよう、糊代部１５に凹部３２を形成して当該凹部３２内にＩＣチップ２１を配設することで、箱の積込み、搬送時の取扱い時にＩＣタグ２０に加わる荷重、衝撃などの外力を低減できる。
【００３２】
以上詳述したが、本発明は発明の趣旨を逸脱しない範囲において様々な形態で実施をすることができる。
【００３３】
前述の説明では、前記書込防止部材４０が、箱材を折り畳んだ状態においてＩＣタグ２０の通信機能を低減させる場合を説明したが、書込防止部材４０は、箱材１Ａを製函した後、例えば図１に示した形態において、この箱１００を折り畳んだ状態においても、ＩＣタグ２０の通信機能を低減させるよう利用されてもよいことは勿論である。
【００３４】
前述の図３に示す箱材では折り筋１７Ａで箱材を折り畳んだ際にＩＣタグ２０が当接する位置にだけ書込防止部材４０を備えているが、他の折り筋１７Ｂ（図３参照）で箱材を折り畳んだ場合にもＩＣタグ２０の通信機能を低減させるよう、書込防止部材４０が図３に破線で示す位置に設けられてもよい。このように、一つの箱材に二つの書込防止部材４０を備えることで、折り筋位置に拘わらず、確実に書き込みを防止することができる。
【００３５】
上記実施形態では、ＩＣチップ２１とアンテナ２２とがＰＥＴフィルムなどを樹脂基材に設けてなるインレットを利用した場合を例示したが、ＩＣタグはインレットに限定されるものではない。例えば、アンテナ部として、印刷アンテナ、巻き線アンテナの他、アルミエッチング或いはアルミ蒸着させて作製されたアンテナを利用してもよい。この場合、アンテナ部は箱体自体に設けられてもよい。
【００３６】
本発明のブランクシートは、紙材料に限らず、プラスチックなどであってもよい。
【００３７】
本発明を適用可能なブランクシート、箱材、箱の各形状や各寸法は図示例に限定されるものではない。
【符号の説明】
【００３８】
１，１Ａ，１Ｂ  箱材
２    正面板部
３    右側面板部
４    左側面板部
５    背面板部
６    天井板部
８〜１１  折込板部
１２〜１５  糊代部
１７，１７Ａ  折り筋
２０  ＩＣタグ
２１  ＩＣチップ
２２  アンテナ
３０  低減部
３１  開口
３２  凹部
４０  書込防止部材
４１  磁性体印刷部
１００  箱
【図１】
2011201567.tif 000003
【図２】
2011201567.tif 000004
【図３】
2011201567.tif 000005
【図４】
2011201567.tif 000006
【図５】
2011201567.tif 000007